(57)【特許請求の範囲】
【請求項１】
車両のセレクトレバー操作をガイドするセレクトガイド装置であって、該セレクトガイド装置をボディ側部材に装着させるベース部材の上面外周部に縁を突設させ、その内側を部品収容部に形成すると共に、該部品収容部の中央部をセレクトレバーの操作作動領域を許容する開口部に形成したセレクトガイドベース部材と、
上記セレクトガイドベース部材の部品収容部に、セレクトポジションに対応させたセレクトレバーガイド溝を有するインジケータと、該インジケータのセレクトポジションを表示するポジション表示板とを装着し、
上記セレクトガイドベース部材の縁内周面は、収容部品を組付ける嵌合穴に形成され、
上記セレクトガイドベース部材の縁内周面形状は、インジケータのセレクトレバーガイド溝の長手方向中心線に対し対称形に形成され、
上記インジケータには、上記セレクトレバーガイド溝の長手方向に平行状に切欠いた切欠き部が形成され、
上記インジケータを上記セレクトガイドベース部材の上記部品収容部に組付ける際、上記切欠き部はセレクトレバーガイド溝に対し、１８０度位相が変えられることを特徴とするセレクトガイド装置。
【請求項２】
請求項１において、上記セレクトガイドベース部材の縁内周面形状と、インジケータおよび連設されるポジション表示板の外周形状とは円形に形成されていることを特徴とするセレクトガイド装置。
【発明の詳細な説明】
【技術分野】
【０００１】
本発明はセレクトレバーのガイド装置に関し、特には、部品の共用化拡大と組付け性および組付け精度確保が容易なセレクトガイド装置に関する。
【背景技術】
【０００２】
自動変速機（ＡＴ，ＣＶＴなど）を搭載した車両の走行指示は、セレクトレバーにより対応するセレクトポジションを選択することにより行われる。セレクトポジションは一般的には直線的に配置さており、例えば、パーキング（Ｐ）、リバース（Ｒ）、ニュウトラル（Ｎ）、ドライブ（Ｄ）、ロー（Ｌ）等が順に配置されたパターンとなっている。また、近時は上記セレクトポジションの他に、ドライバーによりセレクトレバーを手動操作して変速段を手動設定するようにした機能を備えるものもあり、この場合のセレクトパターンは、上記のＤレンジの側方にセレクトレバーをガイドするガイド溝を連設し、ガイド溝から前方側（アップシフト）と後方側（ダウンシフト）へのシフト操作を可能とする構成となっている。
【０００３】
自動変速機を搭載した車両において、セレクトポジションが直線状に配置されたセレクトガイド装置としては、例えば、特許文献１に示す構成のものがある。ここには、板状部材で形成されるロアケースとアッパケースとポジションプレートとを有し、これらロアケース、アッパケースおよびポジションプレートの中央部にはセレクトレバーを挿通する挿通孔（ガイド溝）がそれぞれ設けられたセレクトレバー装置が示されている。
【０００４】
また、自動変速機能の他にセレクトレバーを手動操作して変速させる機能を備えるものとしては、例えば、特許文献２参照のものがある。ここには、レバー溝（インジケータ）およびシフト位置（セレクトポジション）を表示する表示板とを含むレバーガイドを一体に形成し、ここに照明光源や導光板を収容した表示ユニットが取付けられる構成が示されている。
【０００５】
【特許文献１】特開２００２−２０５５６９号公報
【特許文献２】特開２００３−１１６９０号公報（第３頁、図１、図２）
【発明の開示】
【発明が解決しようとする課題】
【０００６】
特許文献１のセレクトレバー装置においては、セレクトレバーの挿通孔（ガイド溝）が設けられたロアケース、アッパケースおよびポジションプレートの３つの部材をそれぞれ順に重ねる積層式となっているため、組付け性が悪化する虞がある。また、積層して組付ける際に３つの部品の位置精度、特に挿通孔（ガイド溝）にズレが生じないような精度確保が求められ、単品の精度維持と共に組付け時の位置決め対策が必要となる虞がある。
【０００７】
また、セレクトレバーを手動操作して変速段を設定する機能を備える特許文献２のものでは、レバーガイド装置の主体となる部材を、レバー溝を有するレバーガイドとしたため、手動変速操作機能を持たない仕様や左ハンドル車仕様等の仕様差に対し、大型の主体部材であるレバーガイドは全て仕様毎に専用化してしまい、コストが嵩むという問題がある。
【０００８】
本発明は、このような課題に対してなされたもので、構成部品の機能に着目しその形成が精度的にも容易となるように機能分割すると共に、その組付け性をも容易となるようにし、更に、部品の共用化も可能とするセレクトガイド装置とすることを目的とする。
【課題を解決するための手段】
【０００９】
本発明のセレクトガイド装置は、車両のセレクトレバー操作をガイドするセレクトガイド装置であって、該セレクトガイド装置をボディ側部材に装着させるベース部材の上面外周部に縁を突設させ、その内側を部品収容部に形成すると共に、該部品収容部の中央部をセレクトレバーの操作作動領域を許容する開口部に形成したセレクトガイドベース部材と、上記セレクトガイドベース部材の部品収容部に、セレクトポジションに対応させたセレクトレバーガイド溝を有するインジケータと、該インジケータのセレクトポジションを表示するポジション表示板とを装着し、上記セレクトガイドベース部材の縁内周面は、収容部品を組付ける嵌合穴に形成され、上記セレクトガイドベース部材の縁内周面形状は、インジケータのセレクトレバーガイド溝の長手方向中心線に対し対称形に形成され、上記インジケータには、上記セレクトレバーガイド溝の長手方向に平行状に切欠いた切欠き部が形成され、上記インジケータを上記セレクトガイドベース部材の上記部品収容部に組付ける際、上記切欠き部はセレクトレバーガイド溝に対し、１８０度位相が変えられることを特徴とする。
【００１２】
本発明のセレクトガイド装置は、上記セレクトガイドベース部材の縁内周面形状と、インジケータおよび連設されるポジション表示板の外周形状とは円形に形成されていることを特徴とする。
【発明の効果】
【００１３】
本発明によれば、構成部品を機能面から分割し最も大型となるセレクトガイドベース部材に、仕様の異なる意匠部品を取付け可能としたため、セレクトガイドベース部材を始め意匠部品の共用化が可能となる。このとき、意匠部品のインジケータは一体成形のため、レバーガイド溝は組付けによる精度変化はなく一定に保つことができ、かつ部品収容部に組付ける方式としたため、組付け性も向上する。
【発明を実施するための最良の形態】
【００１４】
以下に、本発明の実施の形態を図面に基づいて説明する。図１〜図５は本発明の実施の形態のセレクトポジションが直線状に配置される仕様のセレクトガイド装置を示しており、図１の平面図および図２の断面図において、１はボディ側部材の図示しないコンソールボックス等に装着されるセレクトガイド装置であり、２はその意匠面、３はセレクトレバー、４は図２では図示しないブラインドである。１０は本体部材としてのセレクトガイドベース部材であり、このセレクトガイドベース部材１０の上面に意匠部品としてのインジケータ２０と、ポジション表示板２５が装着され、意匠面２が形成される。
【００１５】
セレクトガイドベース部材１０は成形体であり、図２に示すように上面外周部には縁部１４が突設され、縁部１４の内周面１３とその内側の取付け面１２とにより形成される凹状部を部品収容部１１としている。内周面１３は所定の精度に形成されており、また、内周面１３の形状は製造上円形が好ましいが、円形以外の形状にしてもよい、取付け面１２には図３に示すように、略中央部をセレクトレバー３を挿通する開口としており、この開口はセレクトレバー３のセレクト操作移動を許容する開口部１５に形成され、開口部１５はセレクト操作方向に応じた縦長穴になっている。
【００１６】
取付け面１２に形成された開口部１５の側方には、セレクトレバー３のセレクト操作動方向と平行に、セレクトポジションを照明するための導光板およびその光源としての例えば、発光ダイオード等を備える基板（いずれも図示せず）等を組付けるための収容部１６ａ、１６ｂが形成されている。この収容部１６ａ、１６ｂは仕様に応じたポジション表示板、例えば２５または３０（図５のＡ，Ｂを参照）の配置に合せて、１６ａまたは１６ｂの一方のみの形成としてもよい。
【００１７】
インジケータ２０は、外周の一部を切り欠いた円盤状の成形体であり、円盤の略中心線位置にはセレクトレバーの操作を案内するガイド溝２３が直線状に形成されている。そして、ガイド溝２３は例えば、パーキング(Ｐ)、リバース（Ｒ）、ニュウトラル（Ｎ）、ドライブ（Ｄ）、ロー（Ｌ）等のセレクトポジションに対応している。インジケータ２０は、セレクトガイドベース部材１０の縁内周面１３に挿入する嵌合外周２２と、平面状に形成された底面２１と、セレクトレバーのガイド溝２３の一側方に、ガイド溝の長手方向に平行状に切欠いた切欠き部２４とが形成されている。そして、セレクトガイドベース部材１０の部品収容部１１に組付ける場合に、切欠き部２４はガイド溝２３に対し１８０度位相が変えられるようになっており、左右のハンドル車に対応可能になっている。
【００１８】
図５はセレクトポジションを表示するポジション表示板であり、２５は右ハンドル車用であり、３０は左ハンドル車用である。ポジション表示板２５、３０（以下同じ構成部分には同一番号を付し他方の説明を省略する）にはパーキング（Ｐ）、リバース（Ｒ）等５つのポジションを表示する表示部２９を有し、セレクトガイドベース部材１０の内周面１３に嵌合させる嵌合外周２７と、インジケータ２０の切欠き部２４に当接させる当接面２８とが形成されている。そして、表示部２９はセレクトポジションに対応させて、Ｐ，Ｒ，Ｎ，Ｄ，Ｌのポジションマークが印された透明材料（アクリル材など）から成る表示２９Ｐ〜２９Ｌが一体に設けられている。
【００１９】
図６，７はドライバーの手動操作によって変速段をアップシフトまたはダウンシフトを可能にした仕様の意匠部品を示しており、図６は右ハンドル車用、図７は左ハンドル車用である。インジケータ２０ａ、２０ｂは図４に示したインジケータ２０と同一の外周形状に形成されている（以下同じ構成部分には同一番号を付し他方の説明を省略する）。セレクトレバーのガイド溝２３ａはＤレンジ位置から図示右側への移動と、前方へのアップシフト操作と、後方へのダウンシフト操作を手動で行えるガイド溝２３Ｒが形成されたものとなっている。
【００２０】
インジケータ２０ａに対応するポジション表示板２５ａの外周形状は図５（Ａ）と同一であり、セレクトポジションを表示する表示部２９ａが、インジケータ２０ａのガイド溝２３Ｒに対応して＋（アップシフト）と−（ダウンシフト）の表示が追加された構成となっている。
【００２１】
図７は図６のセレクト仕様に対し左ハンドル車用としたものであり、インジケータ２０ｂでは溝の向きを変えたガイド溝２３ｂ，２３Ｌが形成されている。また、インジケータ２０ｂに対応するポジション表示板３０ｂにも、インジケータ２０ｂのガイド溝２３Ｌに対応して＋（アップシフト）と−（ダウンシフト）の表示が追加された表示部２９ｂを備える構成となっている。
【００２２】
このように形成された各部材は以下のように組付けられる。まず、セレクトガイドベース部材１０が用意され、この上面の取付け面１２に形成されている収容部１６ａに導光板等の照明部品が組み込まれる。次いで、部品収容部１１にインジケータ２０およびポジション表示板２５が装着され、照明部品と共に固定され、セレクトガイド装置がサブ組み立てされる。このサブ組み立てにおいて、セレクトガイドベース部材１０は共用され、意匠部品のインジケータと、そのポジション表示板とが仕様に応じて選択組付けされることになる
【００２３】
本発明の実施の形態によれば、セレクトガイド装置を、本体部材としてのセレクトガイドベース部材と、意匠面としてのインジケータおよびポジション表示板とに３分割する構成とし、成形体としたので各部材は所定の精度に形成される。このため、板状の成形部材を積層してレバーガイド溝を形成する場合に比べ精度維持は容易となる。また、セレクトガイドベース部材に設けられた部品収容部に、意匠部品のインジケータとポジション表示板の外周が嵌合組付けされるので、組付け部品がズレることなく精度よく組付けられ、かつ、組付け性もよい。
【００２４】
また、分割部材の内、最も大型となるセレクトガイドベース部材は共用化が可能となりコスト上有利となる。また、インジケータも直線状に配置されるポジション仕様の場合は、右ハンドル車用と左ハンドル車用とは共用化が可能となり、ポジション表示板のみの対応で済み製造上容易となる。更に、セレクトガイドベース部材の部品収容部内周と、インジケータおよびポジション表示板とにより形成される外周とを円形状に形成した場合は、部品の製造等が最も容易となる。
【００２５】
本発明の実施の形態の図示では、セレクトガイドベース部材１０の部品収容部１１を円形状に示したが、これ以外の形状で、例えば、楕円形状でもよくその他任意の形状とすることができる。このとき、意匠面を形成するインジケータ２０およびポジション表示板２５の外周もこれに合わせた外周形状に形成されることになる。
【図面の簡単な説明】
【００２６】
【図１】本発明の実施の形態のセレクトガイド装置の平面図である。
【図２】図１のＡ−Ａ線部位の断面図である。
【図３】セレクトガイドベース部材の平面図である。
【図４】インジケータの平面図である。
【図５】ポジション表示板の平面図で、（Ａ）は右ハンドル車用、（Ｂ）は左ハンドル車用である。
【図６】（Ａ）は他の仕様のインジケータの平面図、（Ｂ）はそのポジション表示板の平面図である。
【図７】（Ａ）は他の仕様のインジケータの平面図、（Ｂ）はそのポジション表示板の平面図である。
【符号の説明】
【００２７】
１      セレクトガイド装置
２      意匠面
１０    セレクトガイドベース部材
１１    部品収容部
１３    内周面
１４    縁部
１５    開口部
２０    インジケータ
２２    嵌合外周
２３    レバーガイド溝
２４    切欠部
２５    ポジション表示板
２７    嵌合外周
２８    当接面
２９    表示部
【図１】
0004824469.tif 000002
【図２】
0004824469.tif 000003
【図３】
0004824469.tif 000004
【図４】
0004824469.tif 000005
【図５】
0004824469.tif 000006
【図６】
0004824469.tif 000007
【図７】
0004824469.tif 000008